(57)【要約】【課題】本発明によれば、医科用あるいは歯科用の液体を吸引するために使用する液体吸引器具用の先端チップにおいて、連続的に効率よく液体を吸引することができ、且つ、体内あるいは口腔内を傷つけることのない液体吸引器具用の先端チップを提供する。【解決手段】吸引管５３の先端に接続される先端チップ１であって、この先端チップ１は吸引管５３の先端に連結される筒状の接続部２と、前記接続部から前方に延伸して形成され、前端に開口部４が形成された本体部３とを有し、前記開口部には、網目状のネット部６が設けられている。【選択図】図１
2015192841.tif 000002
【特許請求の範囲】
【請求項１】
医科用、歯科用の液体を吸引するための液体吸引器具において、吸引管の先端に接続される先端チップであって、
前記吸引管の先端に連結される筒状の接続部と、
前記接続部から前方に形成され、前端に開口部が形成された本体部と、
を有し、
前記開口部には、網目状のネット部が設けられ、前記ネット部を介して吸引がなされることを特徴とする液体吸引器具用の先端チップ。
【請求項２】
前記本体部に軸方向に略直交する開口部が設けられると共に、前記開口部から前方に突出して、先端面及び外周面がすべて網目状に形成された、かつ先端部が半球状あるいはドーム状のネット部とを備えていることを特徴とする請求項１に記載された液体吸引器具用の先端チップ。
【請求項３】
前記ネット部の網目形状が、網目が矩形形状である場合には、縦方向の一辺が１．０ｍｍ〜２．０ｍｍ、横方向の一辺が１．０ｍｍ〜２．０ｍｍに形成され、網目形状が円形状である場合には、直径が１．０ｍｍ〜２．０ｍｍに形成されていることを特徴とする請求項１または請求項２に記載された液体吸引器具用の先端チップ。
【請求項４】
前記本体部の周面には、該本体部の内部圧力の低下により外部から空気を該本体部内に流入させる通気弁が設けられていることを特徴とする請求項１に記載された液体吸引器具用の先端チップ。
【請求項５】
前記接続部の内周面側には、径方向内側に突起する隆起部が設けられていることを特徴とする請求項１乃至請求項４のいずれかに記載された液体吸引器具用の先端チップ。
【請求項６】
医科用、歯科用の液体を吸引するための液体吸引器具において、吸引管の先端に接続される先端チップであって、
前記吸引管の先端に連結される筒状の接続部と、
前記接続部から前方に形成された、複数の貫通孔が形成された本体部と、
を有し、
前記複数の貫通孔は前記本体部の周方向及び軸線方向に形成され、前記複数の貫通孔を介して吸引がなされることを特徴とする液体吸引器具用の先端チップ。
【請求項７】
前記本体部が半球状あるいはドーム状に形成され、前記複数の貫通孔が前記本体部の周方向及び軸線方向に形成されていることを特徴とする請求項６に記載された液体吸引器具用の先端チップ。
【請求項８】
前記貫通孔の直径が１．０ｍｍ〜２．０ｍｍに形成されていることを特徴とする請求項６または請求項７に記載された液体吸引器具用の先端チップ。
【請求項９】
前記接続部の先端部の内周面には、径方向内側に突出した複数の突起部、あるいは径方向内側に突出すると共に周方向に延設されたリング状の突起が形成され、
前記突起に吸引管の先端部が当接し、本体部内への進入が規制されることを特徴とする請求項１乃至請求項８のいずれかに記載された液体吸引器具用の先端チップ。
【請求項１０】
前記接続部の内周面には、軸線方向に一定の内径を有する曲面として形成された平坦部が複数形成されていることを特徴とする請求項１乃至請求項８のいずれかに記載された液体吸引器具用の先端チップ。
【請求項１１】
前記本体部と前記ネット部がシリコーンゴムからなり、前記本体部及び前記ネット部が一体に形成されていることを特徴とする請求項１乃至請求項１０のいずれかに記載された液体吸引器具用の先端チップ。
【請求項１２】
前記本体部と前記ネット部がステンレスからなり、前記本体部及び前記ネット部が一体に形成されていることを特徴とする請求項１乃至請求項１０のいずれかに記載された液体吸引器具用の先端チップ。
【発明の詳細な説明】
【技術分野】
【０００１】
本発明は、液体吸引器具用の先端チップに関し、例えば、歯科治療において口腔内に溜まった唾液等の液体を吸引するために使用する液体吸引器具用の先端チップ、あるいは外科手術において、血液等の液体を吸引するために使用する液体吸引器具用の先端チップに関する。
【背景技術】
【０００２】
例えば歯科治療の途中に、患者の口腔内に唾液や血液等の液体が溜まると、液体吸引装置によって口腔内から前記液体が吸引され除去される。
前記液体吸引装置は、例えば図１１に示す構成を有している。図示するように、液体吸引装置５０は、吸引ポンプ５１と、この吸引ポンプ５１による吸引動作のオンオフ切り替えを行う操作部５２と、吸引ポンプ５１に接続された吸引管５３と、吸引管５３の先端に接続され、口腔内に挿入される先端チップ５４とを備えている。
【０００３】
前記吸引管５３は、金属製或いは硬質の合成樹脂製のものが一般的であり、その先端を直接的に口腔内に入れると口腔内を傷付けるため、先端に柔らかな先端チップ５４を取り付け、この先端チップ５４を口腔内に挿入するようにしている。
前記先端チップ５４は、一般に軟質樹脂からなる筒状のものが用いられ、例えば、可撓性があり適度な弾性を有するシリコーンゴムなどにより形成されている。前記先端チップ５４の先端は、図１２に示すように大きな開口部５４ａを有しており、この開口部５４ａを口腔内に軽く押し当てることにより唾液などを吸引するようになっている。
【０００４】
尚、図１２に示すようなシリコーンゴム等により形成された先端チップ５４については、特許文献１に開示されている。
【先行技術文献】
【特許文献】
【０００５】
【特許文献１】特開２００５−１３３９４号公報
【発明の概要】
【発明が解決しようとする課題】
【０００６】
しかしながら、図１２に示す先端チップ５４の構成にあっては、前記のように開口部５４ａを口腔内に押し当てた状態で吸引動作を行う際に、押し当てられた口腔内の部位が開口部５４ａから吸い込まれ、開口部５４ａを塞ぐため、すぐに液体を吸引できなくなり、その上、患者に対して不快感を与えるという課題があった。
そのため、吸引動作を一旦止めて先端チップ５４を口腔内から引き離し、再度、先端チップ５４の開口部５４ａを口腔内に当てて吸引するといった一連の動作を繰り返さなければならなかった。
また、このような先端チップ５４を、前記したように何度も口腔内に押し当てることで、口腔内を傷つけ口腔内から出血するといった課題もあった。
これら課題は、外科手術において、血液等の液体を吸引するために使用する液体吸引器具用の先端チップにおいても同様である。
【０００７】
本発明は、前記した点に着目してなされたものであり、医科用あるいは歯科用の液体を吸引するために使用する液体吸引器具用の先端チップにおいて、連続的に効率よく液体を吸引することができ、且つ、体内あるいは口腔内を傷つけることのない液体吸引器具用の先端チップを提供することを目的とする。
【課題を解決するための手段】
【０００８】
前記した課題を解決するために、本発明に係る液体吸引器具用の先端チップは、医科用、歯科用の液体を吸引するための液体吸引器具において、吸引管の先端に接続される先端チップであって、前記吸引管の先端に連結される筒状の接続部と、前記接続部から前方に形成され、前端に開口部が形成された本体部と、を有し、前記開口部には、網目状のネット部が設けられ、前記ネット部を介して吸引がなされることを特徴としている。
このように構成されているため、例えば、歯科用の液体を吸引するための液体吸引器具において、吸引管の先端に接続される先端チップにあっては、吸引管の先端に装着され、開口部を口腔内に軽く押し当てた状態で、吸引動作がなされる。
このとき、押し当てられた口腔内の部位は、開口部に設けられたネット部によって先端チップ内への吸い込みが抑制され、液体のみが吸引される。
即ち、押し当てられた部位の吸い込みが抑制されることで開口部における連通状態を確保することができ、連続的に効率よく口腔内からの液体の吸引を行うことができる。
また、先端チップを繰り返し口腔内に押し当てる必要がないため、口腔内を傷つけることによる口腔内からの出血を防止することができる。
尚、医科用の液体を吸引するための液体吸引器具において、吸引管の先端に接続される先端チップにおいても同様である。
【０００９】
ここで、前記本体部に軸方向に略直交する開口部が設けられると共に、前記開口部から前方に突出して、先端面及び外周面がすべて網目状に形成された、かつ先端部が半球状あるいはドーム状のネット部とを備えていることが望ましい。
このようなネット部が形成されることにより、口腔内に軽く押し当てた際、ネット部のすべてが塞がることがないため、ネット部内に液体が流れ込み、それを開口部から吸引することができる。また、前記したように、ネット部のすべてが塞がれることがないため、より確実に吸引動作を継続することができ、患者への不快感を抑制することができる。
【００１０】
また、前記ネット部の網目形状が、網目が矩形形状である場合には、縦方向の一辺が１．０ｍｍ〜２．０ｍｍ、横方向の一辺が１．０ｍｍ〜２．０ｍｍに形成され、網目形状が円形状である場合には、直径が１．０ｍｍ〜２．０ｍｍに形成されていることが望ましい。
このように、前記ネット部の網目が、上記寸法に形成されているため、口腔内から液体を効率的に吸引することができ、しかも先の治療で用いられていた詰め物、あるいは治療中に口腔内に落下させてしまった詰め物等を前記ネット部で捕捉することができる。
【００１１】
また、前記本体部の周面には、該本体部の内部圧力の低下により外部から空気を該本体部内に流入させる通気弁が設けられていることが望ましい。
このように構成することにより、仮に、吸引動作によって口腔内の例えば舌等を吸引した場合には、チップ内の圧力が低下して通気弁が開き、外部の空気がチップ内に流入するため、舌等を強く吸引する状態から解放し、患者の不快感を抑制することができる。
【００１２】
また、前記接続部の内周面側には、径方向内側に突起する隆起部が設けられていることが望ましい。
このように隆起部を設けることにより、吸引管の先端に先端チップを嵌めて装着することができ、先端チップの脱落を防止し、また、連結部分からの空気漏れなどを防ぐことができる。
【００１３】
前記した課題を解決するために、本発明に係る液体吸引器具用の先端チップは、医科用、歯科用の液体を吸引するための液体吸引器具において、吸引管の先端に接続される先端チップであって、前記吸引管の先端に連結される筒状の接続部と、前記接続部から前方に形成された、複数の貫通孔が形成された本体部と、を有し、前記複数の貫通孔は前記本体部の周方向及び軸線方向に形成され、前記複数の貫通孔を介して吸引がなされることを特徴としている。
【００１４】
このように構成されているため、例えば、歯科用の液体を吸引するための液体吸引器具において、吸引管の先端に接続される先端チップにあっては、吸引管の先端に装着され、本体部を口腔内に軽く押し当てた状態で、吸引動作がなされ、貫通孔を介して液体のみが吸引される。
特に、複数の貫通孔が設けられているため、押し当てられた部位の吸い込みが抑制され、貫通孔における連通状態を確保することができ、連続的に効率よく口腔内からの液体の吸引を行うことができる。
また、前記複数の貫通孔は前記本体部の周方向及び軸線方向に形成されているため、例えば、口腔内に軽く押し当てた際、貫通孔のすべてが塞がれることがないため、より確実に吸引動作を継続することができ、患者への不快感を抑制することができる。
更に、先端チップを繰り返し口腔内に押し当てる必要がないため、口腔内を傷つけることによる口腔内からの出血を防止することができる。
尚、医科用の液体を吸引するための液体吸引器具において、吸引管の先端に接続される先端チップにおいても同様である。
【００１５】
ここで、前記本体部が半球状あるいはドーム状に形成され、前記複数の貫通孔が前記本体部の周方向及び軸線方向に形成されていることが望ましい。
このように、半球状あるいはドーム状の本体部に、複数の貫通孔が前記本体部の周方向及び軸線方向に形成されているため、口腔内に軽く押し当てた際、ネット部のすべてが塞がることがなく、本体部内に液体が流れ込み、吸引することができる。また、前記したように、複数の貫通孔のすべてが塞がれることがないため、より確実に吸引動作を継続することができ、患者への不快感を抑制することができる。
【００１６】
また、前記貫通孔の直径が１．０ｍｍ〜２．０ｍｍに形成されていることが望ましい。
このように、前記貫通孔の直径が、上記寸法に形成されているため、例えば、歯科用の液体を吸引するための液体吸引器具において、吸引管の先端に接続される先端チップにあっては、口腔内から液体を効率的に吸引することができ、しかも先の治療で用いられていた詰め物、あるいは治療中に口腔内に落下させてしまった詰め物等を前記ネット部で捕捉することができる。
【００１７】
また、前記接続部の先端部の内周面には、径方向内側に突出した複数の突起部、あるいは径方向内側に突出すると共に周方向に延設されたリング状の突起が形成され、前記突起に吸引管の先端部が当接し、本体部内への進入が規制されるが望ましい。
このストッパによって、吸引管に先端チップを装着する際、吸引管の前記先端チップ内の入れ過ぎを防止し、貫通孔の閉塞を防止することができる。
【００１８】
前記接続部の内周面には、軸線方向に一定の内径を有する曲面として形成された平坦部が複数形成されていることが望ましい。
このように、接続部の内周面に、内径の異なる複数の平坦部を形成することにより、異なる径を有する吸引管と確実に接続することができる。
【００１９】
また、前記本体部と前記ネット部がシリコーンゴムからなり、前記本体部及び前記ネット部が一体に形成されていることが望ましい。シリコーンゴムで形成する場合には、成形により、容易に、かつ安価に製作することができる。
【００２０】
また、前記本体部と前記ネット部がステンレスからなり、前記本体部及び前記ネット部が一体に形成されていることが望ましい。ステンレスを用いて製作した場合には、シリコーンゴムを用いた場合に比べて、耐久性をより向上させることができる。
【発明の効果】
【００２１】
本発明によれば、医科用あるいは歯科用の液体を吸引するために使用する液体吸引器具用の先端チップにおいて、連続的に効率よく液体を吸引することができ、且つ、体内あるいは口腔内を傷つけることのない液体吸引器具用の先端チップを得ることができる。
【図面の簡単な説明】
【００２２】
【図１】図１は、本発明に係る液体吸引器具用の先端チップの斜視図である。
【図２】図２（ａ）は、図１の先端チップの側面図であり、図２（ｂ）は、図１の先端チップの平面図であり、図２（ｃ）は、図１の先端チップの下面図であり、図２（ｄ）は、図１の先端チップを先端側から見た正面図である。
【図３】図３は、先端チップの接続部を断面にした、先端チップの下面図である
【図４】図４は、本体部に形成された通気弁の動作を示す断面図であり、図４（ａ）は弁が開いた状態、図４（ｂ）は弁が閉じた状態を示す図である。
【図５】図５（ａ）は、本発明に係る先端チップの変形例の側面図であり、図５（ｂ）は断面図である。
【図６】図６（ａ）は、本発明に係る先端チップの接続部の変形例を示す断面図、図６（ｂ）は、接続部を後端側から見た背面図である。
【図７】図７は本発明に係る先端チップの第２の実施形態の側面図である。
【図８】図８は、図７に示した第２の実施形態の正面図である。
【図９】図９は、図８のＩ−Ｉ断面図である。
【図１０】図１０は、第２の実施形態の変形例を示す一部Ｉ断面図である。
【図１１】図１１は、従来の液体吸引装置のブロック図である。
【図１２】図１２は、図１１の液体吸引装置に用いる先端チップの斜視図である。
【発明を実施するための形態】
【００２３】
以下、本発明に係る液体吸引器具用の先端チップの実施の形態を図面に基づき説明する。図１は、本発明に係る液体吸引器具用の先端チップ（以下、単に先端チップと呼ぶ）の斜視図である。また、図２（ａ）は図１の先端チップの側面図、図２（ｂ）は平面図、図２（ｃ）は底面図、図２（ｄ）は先端側から見た正面図である。
尚、この実施形態にあっては、歯科用の液体吸引器具用の先端チップを例にとって説明する。図示する先端チップ１は、例えば図１１に示した従来の液体吸引装置５０が有する先端チップ５４に換えて用いることができる。そのため、以下の説明においては、吸引管５３の先端に先端チップ１を取り付けるものとする。
【００２４】
この先端チップ１は、その全体が軟質樹脂、例えばシリコーンゴムにより形成され、前記吸引管５３との接続部分となる円筒状の接続部２と、接続部２から前方に延伸して形成され、先端が舌状に緩く尖った本体部３とからなる。
【００２５】
前記本体部３の先端側には、図２（ａ）に示すように前記舌状に尖った部分３ａ（以下、舌状部３ａと呼ぶ）の下方が開口して開口部４が形成され、本体部３の上面には、吸引時の圧力によって開閉が制御され、開いた際に外部の空気を本体部３内に流し込むための通気弁５が設けられている。
尚、前記舌状部３ａの先端が鋭く尖った形状である場合には、口腔内を傷つけ、口腔内から出血する虞があるため、好ましくない。この前記舌状部３ａの先端形状は、平面視上（図２（ｂ）参照）、円弧形状が好ましい。
【００２６】
前記開口部４には、図示するように網目状（メッシュ状）に形成されたネット部６が設けられている。このネット部６は、本体部３と同様に軟質樹脂、例えばシリコーンゴムにより形成され、開口部４の縁部から本体部３と一体形成されている。
前記網目状（メッシュ状）に形成されたネット部６は、本体部３の成形する際、同時に形成する。あるいはネット部６が形成されていない本体部３を成形し、成形後、穿孔してネット部６を形成しても良い。
【００２７】
また、このネット部６において、形成される網目の大きさは限定されるものではないが、開口部４の通気性を妨げないのであれば、より小さい網目が好ましい。また、吸引した際、口腔内の例えば舌等を開口部４内に強く引き込むことがなく、患者に不快感を与えないためにも、より小さな網目が好ましい。
一例を挙げれば、網目が矩形形状である場合には、縦方向の一辺が１．０ｍｍ〜２．０ｍｍ程度、横方向の一辺が１．０ｍｍ〜２．０ｍｍ程度に形成されているのが、好ましい。また網目が円形状である場合には、直径が１．０ｍｍ〜２．０ｍｍに形成されているのが、好ましい。
前記ネット部６の網目が、上記寸法に形成されているため、口腔内から液体を効率的に吸引することができ、しかも先の治療で用いられていた詰め物、あるいは治療中に口腔内に落下させてしまった詰め物等を前記ネット部６で捕捉することができる。
【００２８】
また、図２（ａ）に示すように、舌状部３の根元部分の高さ寸法ｌ２は、接続部２の径ｌ１の２分の１以下の長さを有することが好ましく、全体がネット部６であることがより好ましい。
このように、ネット部６の占める割合が増加すると、液体が流れ込む方向が拡大し、口腔内の液体を効率的に吸引することができ、しかも先の治療で用いられていた詰め物、あるいは治療中に口腔内に落下させてしまった詰め物等を前記ネット部６で、より捕捉することができる。
尚、舌状部３の肉厚は１ｍｍ以上、より好ましくは１ｍｍ〜３ｍｍ程度であることが好ましい。舌状部３の肉厚が小さい場合には、口腔内に押し当てた際、舌状部３が変形する虞があるため、好ましくない。
【００２９】
また、ネット部６（開口部４）の軸方向の長さ寸法ｌ３は、１０ｍｍ〜２５ｍｍ程度が好ましい。この寸法範囲より長くなると、患者によっては開口部４が口腔内に収まらない虞があり、この寸法範囲より短いと、吸引時に開口部４全体が塞がれ、充分な吸引ができない虞がある。
尚、ネット部６の肉厚は１ｍｍ以上、より好ましくは１ｍｍ〜３ｍｍ程度であることが好ましい。ネット部６の肉厚が小さい場合には、口腔内に押し当てた際、ネット部６が変形し、押し当てられた口腔内の部位を吸引する虞があるため、好ましくない。
【００３０】
また、この先端チップ１は、前記吸引管５３との接続部分となる円筒状の接続部２の後端面から本体部３の先端までの長さ寸法（全体長さ）は、少なくとも４０ｍｍ以上に形成されているのが好ましい。
即ち、ネット部６（開口部４）の軸方向の長さ寸法ｌ３が１０ｍｍ〜２５ｍｍ程度に形成され、十分な接続部２の長さを形成するには、全体の長さが少なくとも４０ｍｍ以上に形成されるのが好ましい。
前記接続部２の長さが短い場合には、前記吸引管５３との接続長さが不十分となり、前記先端チップ１が吸引管５３から脱落する虞がある。
【００３１】
図３は、先端チップ１の接続部２を断面にした先端チップ１の底面図（一部断面図）である。図示するように、接続部２の内周面には、緩やかな勾配を有し、径方向内側に突起する円環状の隆起部２ａが形成されている。
少なくとも、この隆起部２ａにおける管の内径ｌ４は、吸引管５３の外径ｌ５よりも小さく形成されている。これにより吸引管５３の先端に先端チップ１を嵌めて装着することができ、それにより先端チップ１の脱落を防止し、また、吸引管５３と先端チップ１の連結部分からの空気漏れなどを防ぐことができる。
また、前記隆起部２ａを有することにより、吸引管５３の径が異なる場合にも、一種類のチップで対応することができる。
【００３２】
また、図４（ａ）、（ｂ）は、本体部３に形成された通気弁５の動作を示す断面図であり、図４（ａ）は弁が開いた状態、図４（ｂ）は弁が閉じた状態である。
通気弁５は、図示するように本体部３の内周面３ｃ側から外周面３ｂ側にテーパ状に縮径しながら貫通する弁座５ｂと、弁座５ｂに対し開閉自在に設けられた弁体５ａとを有する。弁体５ａは、内周面３ｃと可撓性の高い連結部５ｃによって一体的に繋がっており、吸引されない状態では、弁体５ａは閉じる方向に付勢されている。
そして、吸引時に口腔内の例えば舌等を吸引すると、先端チップ１内の圧力が低下し、弁体５ａは図４（ｂ）に示すように圧力Ｐによって内方に開く。それにより、外部の空気が流出し、舌等を強く吸引する状態から解放されるため、患者の不快感を抑えることができる。尚、圧力Ｐが無くなると図４（ａ）に示すように弁体５ａは閉じるようになっている。
【００３３】
尚、前記実施の形態においては、本体部３の上面に圧力Ｐによって開閉が制御される通気弁５を設けるものとしたが、本体部３において、この通気弁５の形成位置は限定されるものではなく、例えば、本体部３の底面側に形成してもよい。
【００３４】
以上のように構成された先端チップ１は、前記のように吸引管５３の先端に装着され、開口部４を口腔内に軽く押し当てた状態で、吸引手段（例えば図５の吸引ポンプ５１）の駆動により吸引動作がなされる。
このとき、押し当てられた口腔内の部位は、開口部４に設けられたネット部６によって先端チップ１内への吸い込みが抑制され、液体のみが吸引される。
即ち、押し当てられた部位の吸い込みが抑制されることで開口部４における連通状態を確保することができ、連続的に効率よく口腔内からの液体の吸引を行うことができる。
【００３５】
また、先端チップ１を繰り返し口腔内に押し当てる必要がないため、口腔内の傷つき、前記傷つきによる出血を防止することができる。
また、吸引動作によって口腔内の例えば舌等を吸引した際には、チップ内の圧力が低下して、通気弁５の弁体５ａをチップ内方に開くため、外部の空気がチップ内に流入して、舌等を強く吸引する状態から解放し、患者の不快感を抑制することができる。
【００３６】
尚、前記実施の形態においては、開口部４に設けられるネット部６が、本体部３と一体形成されるものとしたが、その構成に限らず、それらを別体として形成し、開口部４にネット部６を取り付けるように構成してもよい。また、その場合、材質は同じものであっても、異なるものであってもよいが、いずれの場合も軟質の樹脂素材で形成することが望ましい。また、前記実施の形態においては、開口部４の全体に網目状のネット部６が設けられるものとしたが、開口部４の一部、或いは複数箇所に部分的にネット部６を設けてもよい。
【００３７】
次に、本体部３に舌状部３ａを設けない変形例を図５、図６に基づいて説明する。尚、図５に先端チップ１の変形例を示す。図５（ａ）は、先端チップ１の変形例の側面図であり、図５（ｂ）は、その断面図、図６（ａ）は、本発明に係る先端チップの接続部の変形例を示す断面図、図６（ｂ）は、先端チップの接続部を後端側から見た背面図である。
【００３８】
図５（ａ）、（ｂ）に示すように、本体部３には（舌状部３ａを設けずに）、軸方向に略直交する開口部４を設け、そこにネット部６が設けられている。
この場合、ネット部６の形状は、好ましくは前方に突出し、先端面及び外周面がすべて網目状に形成されるが、より好ましくは、口腔内への傷つけ防止のため、図示するようにネット部の先端部が半球状、或いはドーム状に形成される。
【００３９】
このようにネット部６が形成されることにより、先端チップ１の先端のいずれの領域が口腔内に押し当てられても、液体の吸引を行うことができる。具体的には、ネット部６のすべてが塞がることがないため、ネット部６内に液体が流れ込み、それを開口部４から吸引することができる。
また、このように吸引時において、ネット部６のすべてが塞がれることがないため、より確実に吸引動作を継続することができ、患者への不快感を抑制することができる。
【００４０】
また、上記実施の形態においては、本体部３の上面に圧力Ｐによって開閉が制御される通気弁５を設けるものとしたが、この変形例にあっては、全周囲にネット部６が形成されているため、前記通気弁５は必ずしも設ける必要はない。
【００４１】
また、前記実施の形態においては、接続部２の内周面に、緩やかな勾配を有し、径方向内側に突起する円環状の隆起部２ａが形成されているものとした。
しかしながら、前記隆起部２ａの形状は、これに限定されるものではなく、勾配が急であってもよい。
また、径方向内側に隆起していれば、接続部２の周方向に沿った円環状の形状でなくてもよい。或いは、隆起部として、図３に示した隆起部２ａに換えて、図６に示すように接続部２の内周面に、径方向内側に突出する複数の突起部７を設けてもよい。図６（ａ）は、接続部２の変形例を示す断面図、図６（ｂ）は、接続部２を後端側から見た背面図である。
図６（ａ）に示すように、突起部７は、後端側（吸引管５３側）に向けて突起高さがテーパ状に低くなるように形成されている。そのため、隆起部２ａの場合と同様に、吸引管５３の径が異なる場合にも、一種類のチップで対応することができる。
【００４２】
尚、図６に示すように接続部２の内周面に、径方向内側に突起する複数の突起部７を設けた場合には、吸引管５３と先端チップ１の連結部分からの空気漏れが生じるが、ネット部から先端チップ内に進入した液体を吸引することができる。
また、後端側（吸引管５３側）に向けて突起高さがテーパ状に低くなるように形成された突起部７を、接続部２の周方向に沿った円環状に形成しても良い。
【００４３】
更に、第２の実施形態として、本体部に複数の貫通孔を穿孔した先端チップについて、図８乃至図９に基づいて説明する。尚、図８は第２の実施形態の側面図であり、図９は第２の実施形態の正面図であり、図１０は図９のＩ−Ｉ断面図である。
【００４４】
この先端チップ１０は、その全体が軟質樹脂、例えばシリコーンゴムにより形成され、前記吸引管５３との接続部分となる円筒状の接続部１１と、接続部１１から前方に形成された、先端が半球状、或いはドーム状に形成された本体部１２とから構成されている。
【００４５】
前記本体部１２には、図７、図８、図９に示すように、周方向に、複数の貫通孔１３が形成され、また先端チップ１０の軸線方向に、複数の貫通孔１３が形成されている。
より具体的に説明すると、図７、図８に示すように、先端チップ１０の本体部１２の接続部１１側に、周方向に３０度間隔をもって１２個の貫通孔１３ａが形成されている。
また、前記貫通孔１３ａより先端チップ１０の先端側には、貫通孔１３ａと同様に、１２個の貫通孔１３ｂが形成されている。更に、前記貫通孔１３ｂより先端チップ１０の先端側には、貫通孔１３ａ、貫通孔１３ｂと同様に、１２個の貫通孔１３ｃが形成されている。
また、前記貫通孔１３ｃより先端チップ１０の先端側には、周方向に６０度間隔をもって６個の貫通孔１３ｄが形成されている。更に、先端チップ１０の先端には、１個の貫通孔１３ｅが形成されている。
これら貫通孔の周方向の数、また軸線方向の数は、上記例に限定されるものではなく、適宜設定することができる。
【００４６】
また、前記貫通孔１３は、直径が１．０ｍｍ〜２．０ｍｍに形成されているのが、好ましい。前記貫通孔１３が、上記寸法に形成されているため、口腔内から液体を効率的に吸引することができ、しかも先の治療で用いられていた詰め物、あるいは治療中に口腔内に落下させてしまった詰め物等を捕捉することができる。
【００４７】
また、前記本体部１２の軸方向の長さ寸法ｌ３は、１０ｍｍ〜２５ｍｍ程度が好ましい。この寸法範囲より長くなると、患者によっては本体部１２が口腔内に収まらない虞があり、この寸法範囲より短いと、充分な吸引ができない虞がある。
尚、接続部１１及び本体部１２の肉厚は１ｍｍ以上、より好ましくは１ｍｍ〜３ｍｍ程度であることが好ましい。ネット部６の肉厚が小さい場合には、口腔内に押し当てた際、本体部１１が変形し、押し当てられた口腔内の部位を吸引する虞があるため、好ましくない。
【００４８】
また、この先端チップ１は、接続部１１の後端面から本体部３の先端までの長さ寸法（全体長さ）は、少なくとも４０ｍｍ以上に形成されているのが好ましい。
即ち、本体部１１の軸方向の長さ寸法ｌ３が１０ｍｍ〜２５ｍｍ程度に形成され、十分な接続部１１の長さを形成するには、全体の長さが少なくとも４０ｍｍ以上に形成されるのが好ましい。前記接続部１１の長さが短い場合には、前記吸引管５３との接続長さが不十分となり、前記先端チップ１０が吸引管５３から脱落する虞がある。
【００４９】
図９に示すように、接続部１１の内周面には、緩やかな勾配を有し、先端側に行くにしたがって、徐々に径が小さくなるように形成されたテーパ面部１１ａが形成されている。
このように、テーパ面部１１ａが形成されているため、これにより吸引管５３の先端に先端チップ１０を嵌めて装着することができ、それにより先端チップ１０の脱落を防止し、また、吸引管５３と先端チップ１０の連結部分からの空気漏れなどを防ぐことができる。
また、前記テーパ面部１１ａを有することにより、吸引管５３の径が異なる場合にも、一種類のチップで対応することができる。
【００５０】
また、接続部１１の先端部の内周面には、吸引管５３の先端部が当接し、本体部１２内への進入を防止するストッパ１１ｂが形成されている。このストッパ１１ｂは内周面の径方向内側に突出すると共に周方向に突出したリング状の突起、あるいは径方向内側に突出した複数の突起部であっても良い。
このストッパ１１ｂは、吸引管５３に先端チップ１０を装着する際、吸引管５３を前記先端チップ１０内に入れ過ぎ、前記貫通孔１３を閉塞するのを防止するものである。尚、このストッパ１１ｂは、第１の実施形態にも適用することが好ましい。
【００５１】
次に、図１０に基づいて、変形例を説明する。
図１０は、異なる径を有する吸引管５３に対応することができるように、接続部１１の内周面には、内径の異なる平坦部１１ｃと、平坦部１１ｄが形成されている。
即ち、前記平坦部１１ｃは軸線方向に一定の内径Ｄ１を有する曲面として形成され、また前記平坦部１１ｄも軸線方向に一定の内径Ｄ２を有する曲面として形成されている。そして、前記内径Ｄ１は、前記内径Ｄ２よりも小径に形成されている。
このように、接続部１１の内周面に、内径の異なる複数の平坦部１１ｃ、１１ｄを形成することにより、異なる径を有する吸引管５３と確実に接続することができる。
尚、接続部１１の内周面に、内径の異なる複数の平坦部を形成することは、第１の実施形態にも適用することが好ましい。
【００５２】
尚、上記実施形態にあっては、先端チップの材料として、シリコーンゴムを用いた場合について説明した。このシリコーンゴムで先端チップを形成する場合には、成形により、容易に、かつ安価に製作することができる。また、先端チップの材料として、シリコーンゴム以外に、ステンレスを用いても良い。ステンレスを用いて先端チップを形成する場合した場合には、シリコーンゴムを用いた場合に比べて、耐久性をより向上させることができる。
【符号の説明】
【００５３】
１          先端チップ
２          接続部
２ａ        隆起部
３          本体部
３ａ        舌状部
３ｂ        外周面
３ｃ        内周面
４          開口部
５          通気弁
５ａ        弁体
５ｂ        弁座
６          ネット部
７          突起部（隆起部）
１０        先端チップ
１１        接続部
１１ａ      テーパ面部
１１ｂ      ストッパ
１１ｃ      平坦部
１１ｄ      平坦部
１２        本体部
１３        貫通孔
１３ａ      貫通孔
１３ｂ      貫通孔
１３ｃ      貫通孔
１３ｄ      貫通孔
１３ｅ      貫通孔
５３        吸引管
【図１】
2015192841.tif 000003
【図２】
2015192841.tif 000004
【図３】
2015192841.tif 000005
【図４】
2015192841.tif 000006
【図５】
2015192841.tif 000007
【図６】
2015192841.tif 000008
【図７】
2015192841.tif 000009
【図８】
2015192841.tif 000010
【図９】
2015192841.tif 000011
【図１０】
2015192841.tif 000012
【図１１】
2015192841.tif 000013
【図１２】
2015192841.tif 000014